(57)【要約】【課題】複数の切替ガイドを備えた自動原稿送り装置において、コンパクトな構成を提供する。【解決手段】ＡＤＦ（自動原稿送り装置）は、経路が分岐される第１分岐部及び第２分岐部を有する原稿搬送経路と、上方切替ガイド７５と、下方切替ガイド７６と、を備える。上方切替ガイド７５は、第１分岐部において、原稿が搬送される経路を切替可能である。下方切替ガイド７６は、第２分岐部において、原稿が搬送される経路を切替可能である。そして、上方切替ガイド７５及び下方切替ガイド７６は、原稿の幅方向で見たときに互いに重なり合う位置に移動可能である。そして、第２分岐部では、原稿の幅方向で見たときに上方切替ガイド７５と下方切替ガイド７６との重なり合う部分で原稿が案内される状態と、上方切替ガイド７５と下方切替ガイド７６との間を原稿が搬送されるように当該原稿が案内される。【選択図】図７
2011225324.tif 000002
【特許請求の範囲】
【請求項１】
原稿を搬送するための経路であり、経路が分岐される第１分岐部及び第２分岐部を有する原稿搬送経路と、
前記第１分岐部において、原稿が搬送される経路を切替可能な第１切替ガイドと、
前記第２分岐部において、原稿が搬送される経路を切替可能な第２切替ガイドと、
を備え、
前記第１切替ガイド及び前記第２切替ガイドは、原稿の幅方向で見たときに互いに重なり合う位置に移動可能であり、
前記第２分岐部では、
原稿の幅方向で見たときに前記第１切替ガイドと前記第２切替ガイドとの重なり合う部分で原稿が案内される状態と、
前記第１切替ガイドと前記第２切替ガイドとの間を原稿が搬送される状態と、
が構成されることを特徴とする自動原稿送り装置。
【請求項２】
請求項１に記載の自動原稿送り装置であって、
前記第１切替ガイドには、複数の溝及び突起からなる第１凹凸部が形成されており、
前記第２切替ガイドには、前記第１凹凸部と対応するように配置された第２凹凸部が形成されており、
前記第１切替ガイドと前記第２切替ガイドとが互いに重なり合うときは、互いの前記突起が相手側の前記溝に入り込むことを特徴とする自動原稿送り装置。
【請求項３】
請求項１又は２に記載の自動原稿送り装置であって、
前記原稿搬送経路を形成する固定ガイドを備え、
前記第１切替ガイドは、揺動することによって、原稿を前記第２分岐部に案内するか、原稿を前記固定ガイドが形成する経路に案内するか、を切替可能であることを特徴とする自動原稿送り装置。
【請求項４】
請求項３に記載の自動原稿送り装置であって、
原稿の幅方向で見たときに、前記第１切替ガイドの搬送方向上流側の先端部が前記固定ガイドと互いに重なり合う位置にあるときと、前記第１切替ガイドの搬送方向上流側の先端部が前記固定ガイドと互いに重なり合わない位置にあるときと、で原稿を案内する経路が異なることを特徴とする自動原稿送り装置。
【請求項５】
請求項３又は４に記載の自動原稿送り装置であって、
前記原稿搬送経路を形成する第２固定ガイドを備え、
原稿の幅方向で見たときに、前記第２切替ガイドの搬送方向上流側の先端部が前記第２固定ガイドと互いに重なり合う位置にあるときと、前記第２切替ガイドの搬送方向上流側の先端部が前記第２固定ガイドと互いに重なり合わない位置にあるときと、で原稿を案内する経路が異なることを特徴とする自動原稿送り装置。
【請求項６】
請求項１から５までの何れか一項に記載の自動原稿送り装置であって、
前記第１切替ガイドから離れる方向又は前記第１切替ガイドに近づく方向に、前記第２切替ガイドを押圧する弾性部材と、
前記第２切替ガイドに対して、前記弾性部材が押圧する方向と反対方向に力を加えるか否かを切り替えることが可能な切替駆動部材と、
を備え、
前記切替駆動部材が前記第２切替ガイドに対して力を加えてないときに、原稿の第１面のみを読み取って排出する経路が構成されることを特徴とする自動原稿送り装置。
【請求項７】
請求項１から６までの何れか一項に記載の自動原稿送り装置を備えることを特徴とする原稿読取装置。
【発明の詳細な説明】
【技術分野】
【０００１】
本発明は、自動原稿送り装置、及び、当該自動送り搬送装置で原稿を搬送しながら画像情報の読取りを行う原稿読取装置に関する。
【背景技術】
【０００２】
従来から、原稿が搬送される経路に分岐を設け、この分岐箇所に配置された切替ガイドによって、当該分岐箇所を通過する原稿を適切な方向へ案内する構成の自動原稿送り装置が知られている。特許文献１は、切替ガイドを複数備えた構成の自動原稿送り装置を開示する。
【０００３】
特許文献１の自動原稿送り装置は、切替ガイドとして、揺動フラッパと追従フラッパと係合フラッパとを備える。この追従フラッパと係合フラッパは、揺動フラッパの動作に従って動作するように構成されている。これらの切替ガイドが動作することで、原稿が搬送される経路を切り替えることができる。そして、この自動原稿送り装置は、原稿の搬送方向の長さ（原稿長さ）等に応じてこれらの切替ガイドが動作するように制御しており、原稿長さに応じた適切な経路に沿って原稿を搬送させることができる。
【先行技術文献】
【特許文献】
【０００４】
【特許文献１】特開２０００−２３３８７２号公報
【発明の概要】
【発明が解決しようとする課題】
【０００５】
ところで、上記特許文献１のように複数の切替ガイドを備える構成では、これらの切替ガイド同士の衝突を避けるために、適切な距離を離してそれぞれの切替ガイドを配置する必要がある。特に、複数の分岐箇所に対応するために複数の切替ガイドを個別に動作可能である構成では、１つの切替ガイドの動作範囲に他の切替ガイドの動作範囲が含まれないように各切替ガイドの配置を行う必要があった。この場合、分岐箇所同士が離れてしまうため、経路が長くなってしまい、自動原稿送り装置のサイズが大きくなってしまう。
【０００６】
本発明は以上の事情に鑑みてされたものであり、その主要な目的は、複数の切替ガイドを備えた自動原稿送り装置において、コンパクトな構成を提供することにある。
【課題を解決するための手段及び効果】
【０００７】
本発明の解決しようとする課題は以上の如くであり、次にこの課題を解決するための手段とその効果を説明する。
【０００８】
本発明の第１の観点によれば、以下の構成の自動原稿送り装置が提供される。即ち、この自動原稿送り装置は、原稿搬送経路と、第１切替ガイドと、第２切替ガイドと、を備える。前記原稿搬送経路は、原稿を搬送するための経路であり、経路が分岐される第１分岐部及び第２分岐部を有する。前記第１切替ガイドは、前記第１分岐部において、原稿が搬送される経路を切替可能である。前記第２切替ガイドは、前記第２分岐部において、原稿が搬送される経路を切替可能である。そして、前記第１切替ガイド及び前記第２切替ガイドは、原稿の幅方向で見たときに互いに重なり合う位置に移動可能である。また、前記第２分岐部では、原稿の幅方向で見たときに前記第１切替ガイドと前記第２切替ガイドとの重なり合う部分で原稿が案内される状態と、前記第１切替ガイドと前記第２切替ガイドとの間を原稿が搬送される状態と、が構成される。
【０００９】
これにより、第１切替ガイドと第２切替ガイドとの距離を近くすることができるため、自動原稿送り装置のサイズを小さくすることができる。また、第１切替ガイド及び第２切替ガイドを重なり合わせることなく近づけた場合、第１切替ガイドと第２切替ガイドとの間に隙間が生じてしまい、この隙間に原稿が引っ掛かることがあるが、上記の構成によって、この引っ掛かりの発生も防止できる。
【００１０】
前記の自動原稿送り装置においては、以下の構成であることが好ましい。即ち、前記第１切替ガイドには、複数の溝及び突起からなる第１凹凸部が形成されている。前記第２切替ガイドには、前記第１凹凸部と対応するように配置された第２凹凸部が形成されている。そして、前記第１切替ガイドと前記第２切替ガイドとが互いに重なり合うときは、互いの前記突起が相手側の前記溝に入り込む。
【００１１】
これにより、第１切替ガイドと第２切替ガイドとが互いに重なり合う位置において、第１切替ガイド及び第２切替ガイドが原稿に対して及ぼす力を幅方向に分散させることができる。そのため、原稿を適切に搬送することができる。
【００１２】
前記の自動原稿送り装置においては、以下の構成であることが好ましい。即ち、自動原稿送り装置は、前記原稿搬送経路を形成する固定ガイドを備える。そして、前記第１切替ガイドは、揺動することによって、原稿を前記第２分岐部に案内するか、原稿を前記固定ガイドが形成する経路に案内するか、を切替可能である。
【００１３】
これにより、固定ガイドと第１切替ガイドとで第１分岐部が構成され、原稿が搬送される経路を切り替えることができる。
【００１４】
前記の自動原稿送り装置においては、以下の構成であることが好ましい。即ち、原稿の幅方向で見たときに、前記第１切替ガイドの搬送方向上流側の先端部が前記固定ガイドと互いに重なり合う位置にあるときと、前記第１切替ガイドの搬送方向上流側の先端部が前記固定ガイドと互いに重なり合わない位置にあるときと、で原稿を案内する経路が異なる。
【００１５】
これにより、第１切替ガイドと固定ガイドとの距離を近くすることができるため、自動原稿送り装置のサイズを小さくすることができる。
【００１６】
前記の自動原稿送り装置においては、以下の構成であることが好ましい。即ち、自動原稿送り装置は、前記原稿搬送経路を形成する第２固定ガイドを備える。原稿の幅方向で見たときに、前記第２切替ガイドの搬送方向上流側の先端部が前記第２固定ガイドと互いに重なり合う位置にあるときと、前記第２切替ガイドの搬送方向上流側の先端部が前記第２固定ガイドと互いに重なり合わない位置にあるときと、で原稿を案内する経路が異なる。
【００１７】
これにより、第２切替ガイドと第２固定ガイドとの距離も小さくできるため、自動原稿送り装置のサイズを小さくすることができる。
【００１８】
前記の自動原稿送り装置においては、以下の構成とすることが好ましい。即ち、この自動原稿送り装置は、弾性部材と、切替駆動部材と、を備える。前記弾性部材は、前記第１切替ガイドから離れる方向又は前記第１切替ガイドに近づく方向に、前記第２切替ガイドを押圧する。前記切替駆動部材は、前記第２切替ガイドに対して、前記弾性部材が押圧する方向と反対方向に力を加えるか否かを切り替えることが可能である。そして、前記切替駆動部材が前記第２切替ガイドに対して力を加えてないときに、原稿の第１面のみを読み取って排出する経路が構成される。
【００１９】
即ち、原稿の読取りを行うときは、両面を読み取るよりも片面だけ読み取ることの方が一般的には多い。この点、上記の構成においては、片面のみの画像情報を読み取って排出するときには切替駆動部材が力を発生させる必要がない。従って、省エネルギー性に優れた自動原稿送り装置が実現できる。
【００２０】
本発明の第２の観点によれば、前記の自動原稿送り装置を備える原稿読取装置が提供される。
【００２１】
これにより、装置のサイズを小さくすることができ、更に、原稿の引っ掛かりを防止した構成の原稿読取装置が実現できる。
【図面の簡単な説明】
【００２２】
【図１】本発明の一実施形態に係る複合機の外観斜視図。
【図２】イメージスキャナ装置の構成を示す正面断面図。
【図３】導入経路及び片面用排出経路を説明する模式図。
【図４】第１反転経路を説明する模式図。
【図５】第２反転経路を説明する模式図。
【図６】両面用排出経路を説明する模式図。
【図７】第１反転経路が形成されるときの上方切替ガイド及び下方切替ガイドの位置関係を示す図。
【図８】第２反転経路が形成されるときの上方切替ガイド及び下方切替ガイドの位置関係を示す図。
【図９】片面用排出経路又は両面用排出経路が形成されるときの上方切替ガイド及び下方切替ガイドの位置関係を示す図。
【図１０】上方切替ガイド及び下方切替ガイドの詳細な形状を示す斜視図。
【図１１】上方切替ガイド及び下方切替ガイドを駆動する構成を示す正面図。
【発明を実施するための形態】
【００２３】
次に、図面を参照して本発明の実施の形態を説明する。図１は本発明の一実施形態に係る複合機１の外観斜視図である。
【００２４】
複合機１は、コピー機能及びファクシミリ機能を備えており、ブックスキャナ及びオートドキュメントフィードスキャナとして機能するイメージスキャナ装置（原稿読取装置）１１を、当該複合機１の上部に備えている。また、複合機１は、コピー部数、ファクシミリ送信先及び原稿読取等を指示するための操作パネル１２を備える。
【００２５】
更に、複合機１は、記録媒体としての用紙に画像を形成する画像形成部等を内蔵した複合機本体１３と、前記用紙を順次供給する給紙カセット１４と、を備えている。なお、複合機本体１３は、通信回線を介して画像情報を伝送するための図略の送受信部等を備える。
【００２６】
次に、図２を参照して、複合機１が備えるイメージスキャナ装置１１について説明する。図２は、イメージスキャナ装置１１の構成を示す正面断面図である。なお、本実施形態における正面図は、搬送される原稿の幅方向で見た図と表現することもできる。
【００２７】
図２に示すように、イメージスキャナ装置１１は、原稿台カバー２１と、プラテンガラス２２と、コンタクトガラス２３と、を備えている。この原稿台カバー２１には自動原稿送り装置（オートドキュメントフィーダ、ＡＤＦ）２４が備えられている。また、イメージスキャナ装置１１は、プラテンガラス２２及びコンタクトガラス２３の下方に、原稿１００の画像情報を読み取るためのスキャナユニット２５を備えている。
【００２８】
スキャナユニット２５は、原稿台の内部で左右方向に移動可能なキャリッジ１１０を備えている。このキャリッジ１１０には、光源１１１と、複数の反射ミラー１１２と、集光レンズ１１３と、電荷結合素子（ＣＣＤ）１１４と、が配置されている。光源１１１は読取原稿に対して光を照射し、読取原稿からの反射光は、複数の反射ミラー１１２で反射した後、集光レンズ１１３を通過して収束してＣＣＤ１１４の表面に結像する。そして、ＣＣＤ１１４は、入射された収束光を電気信号に変換して出力する。
【００２９】
また、前記原稿台カバー２１が備えるＡＤＦ２４は、図２に示すように、当該原稿台カバー２１の上部に設けられた給紙トレイ５２と、この給紙トレイ５２の下方に設けられた排紙トレイ５３と、を備える。また、ＡＤＦ２４の内部には、給紙トレイ５２と排紙トレイ５３とを繋ぐ原稿搬送経路４０が構成されている。
【００３０】
ユーザが図１に示す操作パネル１２を操作して、イメージスキャナ装置１１をオートドキュメントフィードスキャナとして使用するように指示すると、給紙トレイ５２に重ねてセットされた原稿１００が、原稿搬送経路４０に沿って１枚ずつ搬送される。そして、原稿搬送経路４０に沿って搬送される原稿１００がコンタクトガラス２３のガラス面（読取位置）を通過するときに、この原稿１００の画像情報がスキャナユニット２５によって読み取られる。その後、原稿１００は、原稿搬送経路４０に沿って搬送されて、排紙トレイ５３へ排出される。
【００３１】
一方、イメージスキャナ装置１１をブックスキャナとして使用する場合は、読み取るべきブック原稿をユーザがプラテンガラス２２上に載置する。そして、ＡＤＦ２４の下部に配置されたプラテンシート５１によって、ブック原稿を上側から押圧して、動かないように固定する。この状態で、左右方向に移動しながらスキャナユニット２５が読取りを行うことで、ブック原稿の画像情報が読み取られる。
【００３２】
次に、ＡＤＦ２４の内部の構成を詳細に説明する。なお、以下の説明において、正面視でみたときに給紙トレイ５２がある側を単に「右側」と称し、正面視におけるその反対側を単に「左側」と称することがある。
【００３３】
本実施形態のＡＤＦ２４は、原稿１００の片面（第１面）のみを読み取るときと、原稿１００の両面（第１面及び第２面）を読み取るときと、で原稿１００の搬送される経路が異なるように構成されている。初めに、原稿１００の片面のみを読み取るときの経路と、その経路に配置される部材について、図２及び図３を参照して説明する。図３は、導入経路４１及び片面用排出経路４３を説明する模式図である。
【００３４】
原稿１００の片面のみを読み取るときは、図３に示すように、原稿１００を読取位置まで案内するための導入経路４１と、原稿１００を読取位置から排紙トレイ５３まで案内するための片面用排出経路４３と、に沿って原稿１００が搬送される。
【００３５】
導入経路４１には、上流側から順に、ピックアップローラ３０と、分離ローラ３１と、レジストローラ３２と、三連ローラ３３と、搬送ローラ３４と、が配置されている。以下に、上流側から下流側の順で、導入経路４１の経路上に配置される各部の構成について説明する。
【００３６】
導入経路４１の上流側の端部近傍には、ピックアップローラ３０及び分離ローラ３１が配置されている。ピックアップローラ３０は、分離ローラ３１の回転軸を中心にして回動可能に構成されており、ＡＤＦ２４の非動作時においては、図２における上側にピックアップローラ３０が保持されている。一方、原稿１００を繰り込む際はピックアップローラ３０が下方に回動し、給紙トレイ５２に重ねてセットされている原稿１００のうち、最上層にある原稿１００の端部に接触する。この状態でピックアップローラ３０が回転することによって、給紙トレイ５２上の最上層の原稿１００が分離ローラ３１へ搬送される。
【００３７】
ピックアップローラ３０の駆動によって分離ローラ３１へ送られた原稿１００は、回転駆動する分離ローラ３１によって１枚ずつ分離された後に、下流側に配置されたレジストローラ３２へ搬送される。
【００３８】
レジストローラ３２は、対向するローラとともに、搬送されてくる原稿１００の先端部を一時的に止めて弛ませ、所定時間後に弛みを除去しつつ下流側に搬送する。これにより、原稿１００の斜行が矯正される。レジストローラ３２を通過した原稿１００は、下流側に配置された三連ローラ３３へ搬送される。
【００３９】
なお、分離ローラ３１から三連ローラ３３のやや上流側までの導入経路４１は、直線状の経路となっている。
【００４０】
三連ローラ３３は、中央に配置される駆動ローラ３３１と、この駆動ローラ３３１を挟み込むように上下に配置される従動ローラ３３２，３３３と、で構成されている。導入経路４１に沿って搬送される原稿１００は、駆動ローラ３３１とその上方に配置される従動ローラ３３２との間を通過して左斜め下側へ搬送される。三連ローラ３３を通過した原稿１００は、下流側に配置された搬送ローラ３４へ搬送される。なお、駆動ローラ３３１の下方に配置される従動ローラ３３３は、従動ローラ３３２と回転方向が逆となっており、駆動ローラ３３１と従動ローラ３３３との間を通過する原稿１００を右側へ搬送することができる。
【００４１】
搬送ローラ３４は、対向するローラとともに原稿１００をニップして回転することで、この原稿１００を右斜め下側（読取位置側）へ搬送する。そして、原稿１００が前記読取位置を通過するときに、スキャナユニット２５によって第１面の画像情報が読み取られる。なお、この搬送ローラ３４は回転方向を切替可能に構成されており、逆方向に回転することで、原稿１００を左斜め上側（三連ローラ３３側）へ搬送することができる。
【００４２】
なお、三連ローラ３３のやや上流側から読取位置までの導入経路４１は、左側に膨らんだ（左側に凸となるように湾曲した）経路（図３に示す導入湾曲経路４１１）となっている。
【００４３】
次に、片面用排出経路４３について説明する。片面用排出経路４３には、上流側から順に、三連ローラ３５と、搬送ローラ３６と、共通ローラ３８及び対向ローラ３９と、が配置されている。以下に、上流側から下流側の順で、片面用排出経路４３の経路上に配置される各部の構成について説明する。
【００４４】
読取位置のやや下流側には上下に分岐する箇所があり、この分岐箇所の近傍には三連ローラ３５が配置されている。この三連ローラ３５は、中央に配置されるレジストローラ３５１と、レジストローラ３５１を挟み込むように上下に配置される従動ローラ３５２，３５３と、で構成されている。スキャナユニット２５によって画像情報が読み取られた原稿１００は、レジストローラ３５１とその上方に配置される従動ローラ３５２との間を通過して右斜め上側へ搬送される。この三連ローラ３５を通過した原稿１００は、下流側に配置された搬送ローラ３６によって、この搬送ローラ３６の右斜め下側に位置する共通ローラ３８へ搬送される。なお、このレジストローラ３５１は、前記レジストローラ３２と同等の構成となっており、レジストローラ３５１とその下方に配置される従動ローラ３５３との間を左斜め下側へ搬送される原稿１００の斜行を矯正することができる。
【００４５】
共通ローラ３８は、対向するように配置された対向ローラ３９とともに原稿１００をニップして回転することで、この原稿１００を右側へ搬送して、排紙トレイ５３に排出する。以上のようにして、給紙トレイ５２にセットされた原稿１００の片面のみの画像情報が読み取られる。なお、この共通ローラ３８は回転方向を切替可能に構成されており、原稿１００の排出を行うときと逆方向に回転することで、原稿１００を左側（読取位置側）へ搬送することができる。
【００４６】
次に、原稿１００の両面を読み取るときの経路について、図２、及び図４から図６までを参照して説明する。図４は、第１反転経路４５を説明する模式図である。図５は、第２反転経路４６を説明する模式図である。図６は、両面用排出経路４７を説明する模式図である。
【００４７】
原稿１００の両面を読み取るときにおいても、原稿１００の片面のみを読み取るときと同様に、給紙トレイ５２にセットされた原稿が前記導入経路４１に沿って読取位置まで搬送される。そして、原稿１００の第１面の画像情報がスキャナユニット２５によって読み取られる。また、本実施形態のＡＤＦ２４は、原稿１００の搬送方向の長さ（原稿長さ）を検出可能に構成されており、検出された原稿長さに基づいて図略の経路ガイド等を操作することで、導入経路４１の次に原稿１００が搬送される経路を切替可能に構成されている。
【００４８】
初めに、原稿長さが短い場合に原稿１００が搬送される経路について説明する。この場合の原稿１００は、導入経路４１に沿って読取位置まで搬送された後に、図４に示す第１反転経路４５に沿って搬送されるように構成されている。この第１反転経路４５は、上流側から順に、第１反転前経路４５１と、第１反転中経路４５２と、第１反転後経路４５３と、から構成されている。
【００４９】
第１反転前経路４５１には、上流側から順に、三連ローラ３５と搬送ローラ３６とが配置されている。第１反転前経路４５１に沿って搬送される原稿１００は、片面用排出経路４３と同様に、レジストローラ３５１とその上方に配置される従動ローラ３５２との間を通過して右斜め上側へ搬送される。そして、原稿１００は、搬送ローラ３６によって、右方向へ搬送されて第１反転中経路４５２へ搬送される。
【００５０】
第１反転中経路４５２は、途中までは片面用排出経路４３と同様に、右斜め下方へ原稿１００を案内する。しかし、その途中の分岐箇所から後は、原稿１００が左斜め下方へ搬送されるように案内する。この第１反転中経路４５２は、右側に膨らんだ（右側に凸となるように湾曲した）経路となっている。この第１反転中経路４５２に沿って搬送されることで、原稿１００の裏表が反転する。つまり、第１反転中経路４５２に沿って搬送される前までは下側（スキャナユニット２５側）を向いていた第１面が、第１反転中経路４５２に沿って搬送された後は、上側を向くようになる。そして、第１反転中経路４５２に沿って搬送された原稿１００は、第１反転後経路４５３へ搬送される。
【００５１】
第１反転後経路４５３には、上流側から順に、搬送ローラ３７と三連ローラ３５とが配置される。第１反転後経路４５３に沿って搬送される原稿１００は、搬送ローラ３７によって左側へ搬送されて、三連ローラ３５のレジストローラ３５１によって斜行が矯正された後に、読取位置を通過する。このようにして、原稿長さが短い場合の原稿１００を反転させている。
【００５２】
次に、原稿長さが長い場合の原稿１００を反転させる経路について説明する。ここで、原稿長さが長い場合とは、原稿長さが第１反転経路４５の長さと同等か、原稿長さの方が長い場合を意味する。仮に、原稿長さが長い原稿１００を第１反転経路４５に沿って搬送した場合、原稿１００の後端部が読取位置にまだ残っている状態で反転後の原稿１００の先端部が読取位置を通過しようとするため、原稿１００が重なってしまい、紙詰まりを起こしてしまう。そのため、図５に示すように、原稿長さが長い場合における原稿１００が通過する第２反転経路４６は、第１反転経路４５よりも長く構成されている。
【００５３】
第２反転経路４６は、第２反転前経路４６１と、第２反転中経路４６２と、第２反転後経路４６３と、から構成される。第２反転前経路４６１は、第１反転前経路４５１よりも更に右側へ延びている。第２反転中経路４６２は、第１反転中経路４５２と同様に、右側に膨らんだ（右側に凸となるように湾曲した）経路を有している。第２反転後経路４６３は、第１反転後経路４５３よりも更に右側へ延びている。
【００５４】
なお、第２反転後経路４６３が原稿１００を左側へ搬送するときに共通ローラ３８を経由するが、前述のように共通ローラ３８は回転方向を切替可能であるため、共通ローラ３８を左側へ搬送することができる。このように共通ローラ３８は、排出ローラとしての機能と搬送ローラとしての機能とを備えている。このようにして、原稿長さが長い場合の原稿１００を反転させている。
【００５５】
そして、第１反転経路４５又は第２反転経路４６によって反転され、第２面の画像情報が読み取られた原稿１００は、図６に示す両面用排出経路４７へ搬送される。
【００５６】
両面用排出経路４７に沿って搬送される原稿１００は、読取位置を左側へ通過した後に、搬送ローラ３４によって左斜め上側へ搬送される。そして、原稿１００は、駆動ローラ３３１とその下方に配置される従動ローラ３３３との間を通過して右方向へ搬送される。
【００５７】
なお、読取位置から三連ローラ３３までの両面用排出経路４７は、左側に膨らんだ（左側に凸となるように湾曲した）経路（図６に示す排出湾曲経路４７１）となっている。なお、導入湾曲経路４１１に沿って搬送される原稿１００と、排出湾曲経路４７１に沿って搬送される原稿１００とでは、原稿１００の搬送方向が互いに逆方向となっている。この点、本実施形態の搬送ローラ３４は回転方向を切替可能であり、更に、従動ローラ３３２と従動ローラ３３３の回転方向が互いに逆方向となるため、上記の双方向搬送に対応している。
【００５８】
そして、両面用排出経路４７に沿って搬送され、三連ローラ３３を通過した原稿１００は、右方向に搬送され、搬送ローラ３６を経由した後に、右斜め下方へ搬送される。そして、片面用排出経路４３に沿って搬送される原稿１００と同様に、共通ローラ３８及び対向ローラ３９によって、排紙トレイ５３に排出される。なお、搬送ローラ３６のやや下流の分岐箇所から共通ローラ３８のやや上流の分岐箇所までの両面用排出経路４７は、第２反転前経路４６１と第２反転後経路４６３とを接続している（図６に示す接続経路４７２）。以上のように、給紙トレイ５２にセットされた原稿１００の両面の画像情報が読み取られる。
【００５９】
次に、第１反転中経路４５２の近傍に配置された、原稿１００の搬送される経路を切り替える部材について図７から図１０までを参照して説明する。図７は、第１反転経路４５が形成されるときの上方切替ガイド７５及び下方切替ガイド７６の位置関係を示す図である。図８は、第２反転経路４６が形成されるときの上方切替ガイド７５及び下方切替ガイド７６の位置関係を示す図である。図９は、片面用排出経路４３又は両面用排出経路４７が形成されるときの上方切替ガイド７５及び下方切替ガイド７６の位置関係を示す図である。図１０は、上方切替ガイド７５及び下方切替ガイド７６の詳細な形状を示す斜視図である。
【００６０】
この第１反転中経路４５２の近傍には、固定ガイド（第１固定ガイド）７１と、固定ガイド（第２固定ガイド）７２と、固定ガイド７３と、上方切替ガイド（第１切替ガイド）７５と、下方切替ガイド（第２切替ガイド）７６と、が配置されている。
【００６１】
また、図７から図９までに示すように、上方切替ガイド７５は、原稿１００の幅方向で見たときに三角形状に構成されている。そして、図１０に示すように、上方切替ガイド７５は、所定の厚みを有する三角形状の板材（三角板７５１）が原稿の幅方向に複数重ねて配置された構成となっている。この三角板７５１の下方には、複数の突起及び溝からなる凹凸部（第１凹凸部）７５４が形成されている。なお、この上方切替ガイド７５は、原稿１００の幅方向に向けられた回動軸７５２を回動中心として回動可能に構成されている。
【００６２】
また、図７から図９までに示すように、下方切替ガイド７６についても、原稿１００の幅方向で見たときに三角形状に構成されている。そして、図１０に示すように、下方切替ガイド７６についても、所定の厚みを有する三角形状の板材（三角板７６１）が原稿１００の幅方向に複数重ねて配置されている。そして、下方切替ガイド７６には、この三角板７６１の先端部（突起）と、三角板７６１が形成されていない箇所（溝）と、で構成された凹凸部（第２凹凸部）７６４が形成されていると言うことができる。なお、この下方切替ガイド７６は、原稿１００の幅方向に向けられた回動軸７６２を回動中心として回動可能に構成されている。
【００６３】
そして、上方切替ガイド７５又は下方切替ガイド７６が回動したときに、凹凸部７５４が有する突起は凹凸部７６４が有する溝に入り込むことができるように、突起及び溝の間隔等が設定されている。一方、上方切替ガイド７５又は下方切替ガイド７６が回動したときに、凹凸部７６４が有する突起が凹凸部７５４が有する溝に入り込むことができるように、突起及び溝の間隔等が設定されている。このように、上方切替ガイド７５の下部（搬送方向下流側の先端部）と、下方切替ガイド７６の上部（搬送方向上流側の先端部）と、は原稿１００の幅方向で見たときに、重なり合わせることができる。
【００６４】
そして、この重なり合った箇所で原稿１００を案内するときは、この複数の突起によって原稿１００を案内するため、原稿１００に対して、幅方向の複数箇所で力を均等に（分散させて）加えることができる。
【００６５】
また、上方切替ガイド７５及び下方切替ガイド７６は互いに独立して回動を行うことができ、この回動によって原稿１００が搬送される経路を切り替えることができる。具体的には、上方切替ガイド７５の搬送方向上流側の先端部が位置を変えることにより、原稿１００を右斜め下側に搬送するか、原稿１００を右側に搬送するか、を切り替えることができる（第１分岐部）。また、下方切替ガイド７６の搬送方向上流側の先端部が位置を変えることにより、原稿１００を左斜め下側へ搬送するか、原稿１００を右斜め下側へ搬送するか、を切り替えることができる（第２分岐部）。以下、第１反転経路４５が形成されるときと、第２反転経路４６が形成されるときと、片面用排出経路４３又は両面用排出経路４７が形成されるときと、における各ガイドの位置関係について説明する。
【００６６】
第１反転経路４５が形成されるときは、図７に示すように、上方切替ガイド７５の搬送方向下流側の先端部と下方切替ガイド７６の搬送方向上流側の先端部とが重なり合うような位置関係となっている。また、固定ガイド７１の下部は、上方切替ガイド７５の三角板７５１が入り込むことができるような図略の溝が形成されており、この構成によって、固定ガイド７１と上方切替ガイド７５の搬送方向上流側の先端部とが互いに重なり合う位置関係となっている。
【００６７】
このようにして形成された第１反転経路４５に沿って搬送される原稿１００は、初めに、上方切替ガイド７５と固定ガイド７２との間に形成された経路に沿って搬送される。次に、原稿１００は、上方切替ガイド７５と下方切替ガイド７６との重なり合っている箇所のうち、第１反転経路４５が形成される側の面によって案内される。その後、原稿１００は、下方切替ガイド７６と固定ガイド７３とによって形成された経路に沿って読取位置に向けて搬送される。なお、本明細書において、「上方切替ガイド７５と下方切替ガイド７６との重なり合っている箇所のうち、第１反転経路４５が形成される側の面によって原稿１００が案内される」ことを、単に「上方切替ガイド７５と下方切替ガイド７６との重なり合っている箇所で原稿１００が案内される」と称することがある。
【００６８】
第２反転経路４６が形成されるときは、図８に示すように、上方切替ガイド７５が、第１反転経路４５が形成されるときに比べて反時計回りに回動した箇所に位置している。そのため、上方切替ガイド７５の搬送方向上流側の先端部と固定ガイド７１とが重なり合わないような位置関係となっている。なお、第２反転経路４６が形成されるときは下方切替ガイド７６の位置は任意である。
【００６９】
このようにして形成された第２反転経路４６に沿って搬送される原稿１００は、固定ガイド７１の下方であって、上方切替ガイド７５の上方に形成される直線状の経路に沿って搬送される。
【００７０】
片面用排出経路４３又は両面用排出経路４７が形成されるときは、図９に示すように、上方切替ガイド７５が固定ガイド７１と重なり合うような位置関係となっている。具体的には、固定ガイド７２の右側には、下方切替ガイド７６の三角板７６１が入り込むことができるような図略の溝が形成されており、この構成によって、固定ガイド７２の第１反転経路４５が形成される側の端部と、下方切替ガイド７６の搬送方向上流側の先端部とが互いに重なり合う位置関係となっている。
【００７１】
このようにして形成された片面用排出経路４３又は両面用排出経路４７に沿って搬送される原稿１００は、初めに、上方切替ガイド７５と固定ガイド７２との間に形成された経路に沿って搬送される。その後、下方切替ガイド７６の上方に形成された経路に沿って搬送され、共通ローラ３８に到達する。
【００７２】
次に、上方切替ガイド７５と下方切替ガイド７６とを駆動するための構成について図１１を参照して説明する。図１１は、上方切替ガイド７５及び下方切替ガイド７６を駆動する構成を示す正面図である。
【００７３】
上方切替ガイド７５を回動させるための駆動機構７５０は、ソレノイド７５５と、回動アーム７５７と、コイルバネ７５９と、を主要な構成として備える。
【００７４】
ソレノイド７５５は、電流を流すことにより、可動鉄心７５６を引き込むように駆動することができる。この可動鉄心７５６の先端には回動アーム７５７が相対回転可能に取り付けられている。また、回動アーム７５７は、回動軸７５８を中心として回動可能に構成されているため、可動鉄心７５６が引っ張られることにより、回動アーム７５７が時計回りに回動する。この回動アーム７５７が時計回りに回動することで、上方切替ガイド７５に力を伝達するための伝達軸７５３を左斜め下側に引っ張ることになるため、上方切替ガイド７５を固定ガイド７１から遠ざかる方向へ回動させることができる。
【００７５】
また、回動アーム７５７は、回動軸７５８と反対側の端部に、コイルバネ７５９が取り付けられている。このコイルバネ７５９は、図１１に矢印で示す方向（回動アーム７５７を反時計回りに回動する方向）に回動アーム７５７を付勢している。そのため、ソレノイド７５５に電流を流していない状態では、上方切替ガイド７５の搬送方向上流側の先端部は固定ガイド７１と重なり合う方向へ回動している。従って、上方切替ガイド７５は、ソレノイド７５５に電流を流すことなく、第１反転経路４５、片面用排出経路４３、及び両面用排出経路４７を形成することができる。そのため、ソレノイド７５５に流す電流を最小限にすることができる。
【００７６】
一方、下方切替ガイド７６を回動させるための駆動機構７６０は、ソレノイド（切替駆動部材）７６５と、回動アーム７６７と、コイルバネ（弾性部材）７６９と、を主要な構成として備える。
【００７７】
駆動機構７６０が備えるソレノイド７６５に電流を流すと、可動鉄心７６６がソレノイド７６５側に引き込まれるので、回動アーム７６７は回動軸７６８を中心に時計回りに回動する。回動アーム７６７が時計回りに回動することで、下方切替ガイド７６に力を伝達するための伝達軸７６３も時計回りに回動させることができるため、下方切替ガイド７６を上方切替ガイド７５に近づける向きに回動させることができる。
【００７８】
一方、コイルバネ７６９は、図１１に示す方向（回動アームを時計回りに回動する方向）に回動アーム７６７を付勢している。そのため、ソレノイド７６５に電流を流していない状態では、下方切替ガイド７６は上方切替ガイド７５から離れる方向へ回動している。従って、下方切替ガイド７６は、ソレノイド７６５に電流を流すことなく、第２反転経路４６、片面用排出経路４３、及び両面用排出経路４７を形成することができる。そのため、ソレノイド７６５に流す電流を最小限にすることができる。
【００７９】
以上に説明したように本実施形態のＡＤＦ２４は、原稿搬送経路４０と、上方切替ガイド７５と、下方切替ガイド７６と、を備える。原稿搬送経路４０は、原稿１００を搬送するための経路であり、経路が分岐される第１分岐部と第２分岐部とを有する。上方切替ガイド７５は、第１分岐部において、原稿１００が搬送される経路を切替可能である。下方切替ガイド７６は、第２分岐部において、原稿１００が搬送される経路を切替可能である。そして、上方切替ガイド７５及び下方切替ガイド７６は、原稿１００の幅方向で見たときに互いに重なり合う位置に移動可能である。そして、第２分岐部では、原稿１００の幅方向で見たときに上方切替ガイド７５と下方切替ガイド７６との重なり合う部分で原稿１００が案内される状態と、上方切替ガイド７５と下方切替ガイド７６との間を原稿１００が搬送されるように当該原稿１００が案内される状態と、が構成される。
【００８０】
これにより、上方切替ガイド７５と下方切替ガイド７６との距離を近くすることができるため、ＡＤＦ２４の高さ方向のサイズを小さくすることができる。
【００８１】
また、本実施形態のＡＤＦ２４において、上方切替ガイド７５には、複数の溝及び突起からなる凹凸部７５４が形成されている。一方、下方切替ガイド７６には、凹凸部７５４と対応するように配置された凹凸部７６４が形成されている。そして、上方切替ガイド７５と下方切替ガイド７６とが互いに重なり合うときは、互いの突起が相手側の溝に入り込む。
【００８２】
これにより、上方切替ガイド７５と下方切替ガイド７６とが互いに重なり合う位置において、上方切替ガイド７５及び下方切替ガイド７６が原稿１００に対して及ぼす力を幅方向に分散させることができる。そのため、原稿１００を適切に搬送することができる。
【００８３】
また、本実施形態のＡＤＦ２４は、原稿搬送経路４０を形成する固定ガイド７１を備える。そして、上方切替ガイド７５は、回動することによって、原稿１００を第２分岐部に案内するか、原稿１００を固定ガイド７１と上方切替ガイド７５とが形成する経路に案内するか、を切替可能である。
【００８４】
これにより、固定ガイド７１と上方切替ガイド７５とで第１分岐部が構成され、原稿１００が搬送される経路を切り替えることができる。
【００８５】
また、本実施形態のＡＤＦ２４において、原稿１００の幅方向で見たときに、上方切替ガイド７５の搬送方向上流側の先端部が、固定ガイド７１と互いに重なり合う位置と、固定ガイド７１と互いに重なり合わない位置と、で原稿１００を案内する経路が異なる。
【００８６】
これにより、上方切替ガイド７５と固定ガイド７１との距離を近くすることができるため、ＡＤＦ２４の高さ方向のサイズを小さくすることができる。
【００８７】
また、本実施形態のＡＤＦ２４は、原稿搬送経路４０を構成する固定ガイド７２を備える。原稿１００の幅方向で見たときに、下方切替ガイド７６搬送方向上流側の先端部が、固定ガイド７２と互いに重なり合う位置と、固定ガイド７２と互いに重なり合わない位置と、で原稿１００を案内する経路が異なる。
【００８８】
これにより、上方切替ガイド７５に加え、下方切替ガイド７６についても固定ガイド７２との距離を近くすることができるため、ＡＤＦ２４の幅方向のサイズを小さくすることができる。
【００８９】
また、本実施形態のＡＤＦ２４は、コイルバネ７６９とソレノイド７６５とを備える。コイルバネ７６９は、上方切替ガイド７５から離れる方向に下方切替ガイド７６を押圧する。ソレノイド７６５は、下方切替ガイド７６に対して、上方切替ガイド７５に近づける方向に力を加えるか否かを切り替えることが可能である。そして、ソレノイド７６５が下方切替ガイド７６に力を加えていないときに、片面用排出経路４３が構成される。
【００９０】
これにより、原稿１００の片面の画像情報を読み取るときは、ソレノイド７６５に電流を流す必要がないため、省エネルギー性に優れたＡＤＦ２４が実現できる。
【００９１】
以上に本発明の好適な実施の形態を説明したが、上記の構成は例えば以下のように変更することができる。
【００９２】
上記実施形態では、弾性部材としてコイルバネを用いたが、上方切替ガイド７５及び下方切替ガイド７６を所定の方向に付勢することができれば、弾性部材としてコイルバネ以外の部材（例えば板バネ、ゴム等）を用いることができる。また、ソレノイド以外の部材（例えば空気圧シリンダ）を切替駆動部材として用いることもできる。
【００９３】
読取位置から搬送ローラ３４までの経路に分岐箇所を設け、搬送ローラ３４に代えて三連ローラを設置しても良い。これにより、搬送ローラ３４の回転方向を切り替えるための構成を省略することができる。
【００９４】
上記実施形態で用いた縮小光学系のスキャナユニット２５に代えて、密着型イメージセンサ等を使用する構成に変更することができる。
【００９５】
上記実施形態ではイメージスキャナ装置１１は複合機１の一部として備えられているが、この構成に代えて、単体のイメージスキャナ装置として構成することができる。
【符号の説明】
【００９６】
１  複合機
１１  イメージスキャナ装置（原稿読取装置）
２４  ＡＤＦ（自動原稿送り装置）
４０  原稿搬送経路
７５  上方切替ガイド（第１切替ガイド）
７６  下方切替ガイド（第２切替ガイド）
【図１】
2011225324.tif 000003
【図２】
2011225324.tif 000004
【図３】
2011225324.tif 000005
【図４】
2011225324.tif 000006
【図５】
2011225324.tif 000007
【図６】
2011225324.tif 000008
【図７】
2011225324.tif 000009
【図８】
2011225324.tif 000010
【図９】
2011225324.tif 000011
【図１０】
2011225324.tif 000012
【図１１】
2011225324.tif 000013